(57)【特許請求の範囲】
【請求項１】
略菱形形状の化粧面を有する板体の上部側２辺の端部を化粧面側に折り返して形成した係止溝と係止片を設け、また、下部側２辺の端部を化粧面の裏面側に折り返して形成した嵌合溝と嵌合片を設けた化粧面材と、略断面を水平な差込片と該差込片の一端を折り返して形成した差込溝と該差込溝の端縁を垂直に屈曲した側壁化粧面と該側壁化粧面の端縁を前記差込片と平行に水平に屈曲した係合片とから略己字状に形成すると共に、全体を前記化粧面材の下部側２辺と同じ位の長さで略く字状に屈曲し、かつ、前記側壁化粧面の幅を端部から略く字状に屈曲した中点に向かって暫増させた側壁化粧面材の２部材からなり、化粧面材の嵌合溝に側壁化粧面材の差込片を、化粧面材の嵌合片を側壁化粧面材の差込溝に互いに挿入、係合させ、さらに少なくとも化粧面材の下部側２辺の一部分を側壁化粧面材の側壁化粧面より突出させて一体化したことを特徴とする屋根材。
【発明の詳細な説明】
【０００１】
【産業上の利用分野】
本発明は加工が容易で、しかも簡単かつ迅速に施工ができ、さらに施工後の外観が従来にない意匠性を有する段葺き状菱形屋根材に関するものである。
【０００２】
【従来の技術】
従来この種の屋根材としては、長尺状の瓦棒葺き屋根材、平葺き屋根材、長尺金属瓦、等種々存在する。
【０００３】
【発明が解決しようとする課題】
しかしながら、長尺状の瓦棒葺き屋根材は施工、防水性の点においては良好であるが、単調な外観であるため意匠性に劣る欠点があった。また、平葺き屋根材は割り付けが面倒であり、かつ横方向の連結は非常に難しく、連結のためのジョイント部材が必要になり施工には熟練を必要とした。さらに、プレス成形して形成した長尺金属瓦は段付きのため加工が難しく、しかも、横桟等の屋根下地の形成が不可欠であった。
【０００４】
【課題を解決するための手段】
本発明はこのような欠点を除去するために、屋根材自体を菱形形状の短尺体とし、運搬や施工において扱いやすいように形成すると共に、施工後の葺き上がりは、化粧面が菱形形状で程良い段差を有する屋根となり、さらに、突出させた化粧面材の下部側２辺が陰影を醸し出し、従来にない外観を発揮する屋根材を提案するものである。
【０００５】
【実施例】
以下に図面を用いて、本発明に係る屋根材Ａの一実施例について詳細に説明する。すなわち、屋根材Ａは化粧面１の表面から示す斜視図の図１（ａ）、および裏面から示す斜視図の図１（ｂ）に示すように、化粧面材Ｂと側壁化粧面材Ｃの２部材から構成されるものである。
【０００６】
化粧面材Ｂは化粧面１の表面から示す斜視図の図２（ａ）、および裏面から示す斜視図の図２（ｂ）、さらには図２（ａ）のローロ線端面図である図５に示すように、略菱形状の化粧面１と、化粧面１の上部側２辺の端部を化粧面１側に折り返して形成したＵ字状の係止溝２と、係止溝２の先端を化粧面１と平行に延長した係止片３を設け、また、下部側２辺の端部を化粧面１の裏面側に折り返して形成したＵ字状の嵌合溝４と、嵌合溝４の先端を化粧面１と平行に延長した嵌合片５を設けたものである。
【０００７】
また、上部頂点ａ部分は、切り込みを一切入れず屈曲加工のみにて形成したので、雨水が屋根下地α側に流出することがなく、防水性が確実となるものである。
【０００８】
さらに、化粧面材Ｂと側壁化粧面材Ｃの素材としては、例えばスチール、アルミニウム、銅、ステンレス、チタン、アルミ・亜鉛合金メッキ鋼板、ホーロー鋼板、ガリバリウム鋼板、クラッド鋼板、ラミネート鋼板（塩ビ鋼板等）、サンドイッチ鋼板（制振鋼板等）等（勿論、これらを各種色調に塗装したカラー金属板を含む）等の金属薄板や、塩化ビニル樹脂、ポリカーボネイト、ＦＲＰ樹脂等の各種樹脂板等からなり、これらをプレス加工等して形成したものである。
【０００９】
側壁化粧面材Ｃは表面から示す斜視図の図３（ａ）、および裏面から示す斜視図の図３（ｂ）に示すように、全体として略く字状に屈曲して形成したものである。また、図３（ａ）のハ−ハ線端面図である図６に示すように、略断面を水平な差込片６と差込片６の一端を折り返してＵ字状に形成した差込溝７と、差込溝７の端縁を垂直に屈曲した側壁化粧面８と、側壁化粧面８の端縁を差込片６と平行に水平に屈曲した係合片９と、係合片９の先端をそのまま折り返した舌片１０とから略己字状に屈曲形成したものである。
【００１０】
また、側壁化粧面８は、その幅を端部から略く字状に屈曲した中点に向かって暫増させたものであり、屋根材Ａに対して葺き上がりに段差を形成して外観のアクセントとなるようにしたものである。さらに、舌片１０は施工の際の危険防止、雨返しとして機能するものである。なお、側壁化粧面材Ｃは前記した化粧面材Ｂと同様な素材を同様な加工方法で形成したものである。
【００１１】
化粧面材Ｂと側壁化粧面材Ｃとの装着は、図１（ａ）のイ−イ線端面図の図４（ａ）、および図４（ａ）のニ部分拡大図である図４（ｂ）に示すように、化粧面材Ｂの嵌合溝４に側壁化粧面材Ｃの差込片６を、化粧面材Ｂの嵌合片５を側壁化粧面材Ｃの差込溝７に互いに挿入、係合させることにより一体に装着するものである。
【００１２】
その際、化粧面材Ｂの下部側２辺の少なくとも一部分（図では全部）を側壁化粧面材Ｃの側壁化粧面８より突出させた、突出片１１を形成するように一体に装着するものである。この突出片１１は、屋根材Ａの施工後に日光による陰影を醸し出して、従来にない意匠性を発揮させると共に、化粧面１からもたらされる雨水が、屋根材Ａ内部に浸入しないようにする水切りとして機能するものである。
【００１３】
また、化粧面材Ｂと側壁化粧面材Ｃとの係合部分に、各種接着剤を充填したり、スポット溶接等の手段を用いて装着の強度を向上することも可能である。なお、化粧面材Ｂと側壁化粧面材Ｃとの装着は工場の出荷段階で行ったり、施工現場で行ったり任意で行うものである。
【００１４】
ここで、各部の寸法関係について簡単に説明する。図１（ｂ）において突出片１１の幅を△Ｗ、図２において化粧面１の下部側１辺の長さをｌ１、下部側２辺の交わる角度をθ１、図３（ａ）において、一片の側壁化粧面８の長さをｌ２、双方の側壁化粧面８の交わる角度をθ２、側壁化粧面８中央部の高さをｈ１、端部の高さをｈ２とすると、△Ｗ＝５〜３０ｍｍ（好ましくは１０ｍｍ以上）、ｌ１≒△Ｗ＋ｌ２、θ１≒θ２、ｈ１＞ｈ２の関係となる。
【００１５】
さらに、次に本発明に係る屋根材の施工について簡単に説明する。図７（ａ）および図７（ａ）のホ−ホ線端面図である図７（ｂ）に示すように、垂木Ｄ、野路板Ｅ、アルファルトルーフィングＦからなる一般的な屋根下地α上に、順次軒から棟方向に向かって、下段の屋根材Ａ１の係止溝２に上段の屋根材Ａ２の係合片９を挿入、嵌合して行くことにより、屋根を形成するものである。
【００１６】
なお、屋根材Ａの屋根下地αへの固定は、図８に示すような一般的な吊り子Ｇを用いるものであり、この吊り子Ｇを屋根材Ａの係止片３に引っかけて、さらに、屋根下地αに釘等の固定具βを介して各々屋根材Ａを固定するものである。
【００１７】
以上説明したのは、本発明に係る屋根材Ａの一実施例であり、例えば図９〜図１３に示すような屋根材Ａとすることもできるものである。すなわち、図９（ａａ）、（ｂ）は係止片３の少なくとも一部分をそのまま折り返して延長した固定片１２を形成したものであり、この固定片１２を形成することにより、屋根材Ａの屋根下地αへの固定は、別途吊り子Ｇを用いることなく、この固定片１２上から直接固定具βを介して屋根下地αに屋根材Ａを固定できるものである。なお、固定片１２の途中には、釘打ちのガイドとなるガイド孔１３、先端には危険防止と雨返しとなる舌片１４を形成することもできる。
【００１８】
図１０（ａ）、（ｂ）は屋根材Ａの化粧面１の下端を直線状もしくは円弧状に一部切り欠いて形成した屋根材Ａであり、意匠にアクセントを付加したものである。
【００１９】
図１１（ａ）および、図１１（ａ）の端面図である図１１（ｂ）は、屋根材Ａの化粧面１裏面に、シート状の裏当て材Ｈを接着剤等で一体に装着した屋根材Ａである。すなわち、裏当て材Ｈはポリエステル、ゴム、塩ビ等の樹脂シートからなり、主に振動抑制材として機能するものである。これは、屋根材Ａと裏当て材Ｈの素材の違いや不均衡さにより、互いに振動を打ち消し、防音効果を発揮するものである。特に、屋根材Ａを金属製とした際には、振動による熱エネルギーを屋根材Ａより効率よく空気中に放熱することができるので、より一層の防音効果が高まるものである。
【００２０】
図１２（ａ）および、図１２（ａ）の端面図である図１２（ｂ）、（ｃ）は、屋根材Ａの化粧面１裏面に、芯材Ｉを形成したものである。芯材Ｉは屋根材Ａの補強材、断熱材、耐火材、遮音材、防音材として機能するものであり、その素材としては外力に対して変形度合いが少ない剛性のあるものであれば良く、硬質の合成樹脂発泡体（ポリウレタンフォーム、イソシアヌレートフォーム、フェノールフォーム、スタイロフォーム）、シージングボード、シージングインシュレーションボード、石膏ボード、合板等の単体、あるいはこれらの複合体よりなるものである。なお、図１２（ｃ）では芯材Ｉの裏面をシート状物Ｊで被覆したものである。
【００２１】
図１３（ａ）、（ｂ）は化粧面材Ｂの下部側２辺の一部分を側壁化粧面材Ｃの側壁化粧面８より突出させたものであり、図１３（ａ）は端部から中点に向かって突出片１１の幅が広くなるように、図１３（ｂ）は狭くなるように形成した屋根材Ａの例である。勿論、これらの変形を各々組み合わせた屋根材Ａとすることもできる。
【００２２】
【発明の効果】
上述したように本発明に係る屋根材によれば、（１）略菱形状の化粧面を有し、側壁化粧面により段差を形成した屋根材をとしたため、従来にない、意匠性を向上した屋根を形成できる。（２）下端側の２辺に段差を形成した屋根材としたため、葺き上がりは菱形状の連続で段差の明確な屋根となる。（３）屋根材を化粧面材と側壁化粧面材の２部材により構成したので、それぞれの部材の表面色を容易に別色とすることができ、カラーデザインのバリエーションが広がり、景観に配慮した屋根材となる。（４）突出片を形成したことにより、屋根材の施工後に日光による陰影を醸し出して、従来にない意匠性を発揮させると共に、化粧面からもたらされる雨水が、屋根材内部に浸入しないように効率よく水切りができる。等の特徴、効果がある。
【図面の簡単な説明】
【図１】本発明に係る屋根材の代表例を示す説明図である。
【図２】屋根材を構成する化粧面材の一例を示す説明図である。
【図３】屋根材を構成する側壁化粧面材の一例を示す説明図である。
【図４】図１のイ−イ線端面図である。
【図５】図２のロ−ロ線端面図である。
【図６】図３のハ−ハ線端面図である。
【図７】本発明に係る屋根材の施工状態を示す説明図である。
【図８】図７で用いられた吊り子を示す説明図である。
【図９】屋根材のその他の例を示す説明図である。
【図１０】屋根材のその他の例を示す説明図である。
【図１１】屋根材のその他の例を示す説明図である。
【図１２】屋根材のその他の例を示す説明図である。
【図１３】屋根材のその他の例を示す説明図である。
【符号の説明】
Ａ  屋根材
Ａ１  下段
Ａ２  上段
Ｂ  化粧面材
Ｃ  側壁化粧面材
Ｄ  垂木
Ｅ  野地板
Ｆ  アスファルトルーフィング
Ｇ  吊り子
Ｈ  裏当て材
Ｉ  芯材
Ｊ  シート状物
α  屋根下地
β  固定具
ａ  上部頂点
１  化粧面
２  係止溝
３  係止片
４  嵌合溝
５  嵌合片
６  差込片
７  差込溝
８  側壁化粧面
９  係合片
１０  舌片
１１  突出片
１２  固定片
１３  ガイド孔
１４  舌片
【図１】
0003604100.tif 000002
【図２】
0003604100.tif 000003
【図３】
0003604100.tif 000004
【図４】
0003604100.tif 000005
【図５】
0003604100.tif 000006
【図６】
0003604100.tif 000007
【図７】
0003604100.tif 000008
【図８】
0003604100.tif 000009
【図９】
0003604100.tif 000010
【図１０】
0003604100.tif 000011
【図１１】
0003604100.tif 000012
【図１２】
0003604100.tif 000013
【図１３】
0003604100.tif 000014